(57)【要約】【課題】  きわめて簡単な構造のパレット受具を備え、軽量で嵩張らず持ち運びにも便利な写生用イーゼルを提供すること。【解決手段】  イーゼル１のキャンバス受台１０の前面に取り付けられ、パレット２０の前端縁２１を掛止する複数のフック状金具１６と、キャンバス受台１０の底面に回動自在に取り付けられ、該キャンバス受台１０の前方へ突出してパレット２０の底部を支持する使用位置と、キャンバス受台１０の底面に添った収納位置に移動可能な複数の支持部材１７とで構成されたパレット受具１５を備えている。【選択図】      図１
2005168943.tif 000002
【特許請求の範囲】
【請求項１】
イーゼルのキャンバス受台の前面に取り付けられ、パレットの前端縁を掛止する複数のフック状金具と、
前記キャンバス受台の底面に回動自在に取り付けられ、該キャンバス受台の前方へ突出して前記パレットの底部を支持する使用位置と、前記キャンバス受台の底面に添った収納位置に移動可能な複数の支持部材とで構成されたパレット受具を備えていることを特徴とする写生用イーゼル。
【請求項２】
前記支持部材が、細長い金属板片により製作され、該金属板片の端部を下向きに曲げ加工して摘み部が形成され、他端部が前記キャンバス受台の底面に回動自在に取り付けられいる請求項１記載の写生用イーゼル。
【請求項３】
前記キャンバス受台が、金属板製溝形材により製作され、底板と、その両側端縁に沿って立設された前側板及び後側板とからなり、
前記前側板に前記フック状金具が取り付けられ、
前記底板に前記支持部材が回動自在に取り付けられていることを特徴とする請求項１又は２記載の写生用イーゼル。
【請求項４】
前記キャンバス受台の前記後側板に複数の取付孔が設けられ、該取付孔を前記イーゼルの両前脚の前面に突設した支持ピンに係合して、前記キャンバス受台が前記両脚に着脱自在に組み付けられている請求項３記載の写生用イーゼル。
【請求項５】
前記イーゼルが折りたたみ自在に組み立てられている請求項１ないし４のいずれかに記載の写生用イーゼル。
【発明の詳細な説明】
【技術分野】
【０００１】
本発明は、屋外で写生する場合に使用するのに適した簡易なパレット受具を備えた写生用イーゼルに関するものである。
【背景技術】
【０００２】
イーゼルを使用して写生する場合に、パレット、筆、絵の具、筆洗い容器等の画材を載置する棚板を取り付けたイーゼルは種々知られている（例えば、特許文献１、特許文献２、特許文献３参照）。
【０００３】
しかし、上記従来の画材載置棚は取付け、取外しに手間を要するのみならず、嵩張って持ち運びに不便であるなどの問題があった。
【特許文献１】特開２０００−１３５１３６号公報
【特許文献２】登録実用新案第３０３７６４７号公報
【特許文献３】登録実用新案第３０３６６４１号公報
【発明の開示】
【発明が解決しようとする課題】
【０００４】
本発明は、上記従来の問題点に鑑みてなされたもので、きわめて簡単な構造のパレット受具を備え、軽量で嵩張らず持ち運びにも便利な写生用イーゼルを提供することを目的とする。
【課題を解決するための手段】
【０００５】
上記目的を達成するために、本発明は、イーゼルのキャンバス受台の前面に取り付けられ、パレットの前端縁を掛止する複数のフック状金具と、前記キャンバス受台の底面に回動自在に取り付けられ、該キャンバス受台の前方へ突出して前記パレットの底部を支持する使用位置と、前記キャンバス受台の底面に添った収納位置に移動可能な複数の支持部材とで構成されたパレット受具を備えていることを特徴とする。
【０００６】
前記支持部材が、細長い金属板片により製作され、該金属板片の端部を下向きに曲げ加工して摘み部が形成され、他端部が前記キャンバス受台の底面に回動自在に取り付けられいる構成にすると、該支持部材を軽量、かつ安価に製作できる。
【０００７】
また、前記キャンバス受台が、金属板製溝形材により製作され、底板と、その両側端縁に沿って立設された前側板及び後側板とからなり、前記前側板に前記フック状金具が取り付けられ、前記底板に前記支持部材が回動自在に取り付けられている構成にすると、前記フック状金具及び前記支持部材を含む前記キャンバス受台全体が軽量、かつ安価に製作できる。また、この場合、前記キャンバス受台の前記後側板に複数の取付孔が設けられ、該取付孔を前記イーゼルの両前脚の前面に突設した支持ピンに係合して、前記キャンバス受台が前記両脚に着脱自在に組み付けられることが好ましい。
【発明の効果】
【０００８】
本発明のイーゼルは、キャンバス受台に設けるパレット受具の構造がきわめて簡単で、軽量、かつ安価に製作できると共に、嵩張らず、持ち運びに便利である。
【０００９】
特に、前記キャンバス受台を金属板製溝形材により製作し、該キャンバス受台に前記フック状金具と前記支持部材からなる前記パレット受具を取り付けると、一層軽量化が図れ、持ち運びにも便利である。
【発明を実施するための最良の形態】
【００１０】
以下、本発明の実施の形態を図面に基づいて説明する。
【００１１】
図１は、本発明による写生用イーゼルを示している。該イーゼル１は、左右一対の前脚２，２と、両前脚２，２の上下両端部を連結する上棧３と下棧４とにより平面状のフレームが形成されると共に、上棧３に蝶番５を介して後脚６が回動自在に連結され、両前脚２，２の前面にキャンバス受台１０が取り外し可能に取り付けられている。イーゼル１自体は、図示の構造に限定されたものではなく、伸縮自在あるいは折りたたみ自在に組み立てられる各種タイプのイーゼルであってもよい。
【００１２】
キャンバス受台１０は、金属板製溝形材により製作され、底板１１と、その両側端縁に沿って折り曲げて立設された前側板１２及と後側板１３とからなり、図２に良く示されているように、後側板１３の両側に複数の取付孔１４が設けられている。そして、イーゼル１の両前脚２，２の前面に固着突設した支持ピン７，７に取付孔１４，１４を係合して、両前脚２，２の前面にキャンバス受台１０が取り付けられる。
【００１３】
パレット受具１５は、細長い金属板片を曲げ加工して製作されたフック状金具１６と、支持部材１７とで構成されている。フック状金具１６は、金属板片をＬ字形に曲げ加工した本体１６ａの一端にパレット２０（図３参照）の前端縁２１に引っ掛けて掛止するフック部１６ｂを有し、本体１６ａの他端をキャンバス受台１０の底板１１にかしめピン１８を介して固着され、キャンバス受台１０の両側２箇所に配設されている。支持部材１７は、同じく細長い金属板片の一端部を下向きに曲げ加工して摘み部１７ａが形成され、他端部がかしめピン１８を介してキャンバス受台１０の底板１１に回動可能に取り付けられ、フック爪金具１６に近接したキャンバス受台１０の両側の２箇所に配設されている。該支持部材１７は、図１及び図３に示すように、キャンバス受台１０の前方へ突出してパレット２０の底部を支持する使用位置と、図２の仮想線で示すように、キャンバス受台１０の底板１１の底面に添った収納位置に移動可能に構成されている。
【００１４】
図３は、パレット２０がパレット受具１５を使用してキャンバス受台１０の前面に取り付けられた使用状態を示しており、パレット２０の前端縁２１を両フック状金具１６，１６のフック部１６ｂ，１６ｂに引っ掛けて掛止させると共に、両支持部材１７，１７をキャンバス受台１０の前方へ突出させパレット２０の底部を支持させることによって、パレット２０がキャンバス受台１０の前面に安定した姿勢で取り付けられている。
【００１５】
パレット受具１５を使用しないときは、図２に仮想線で示すように、両支持部材１７，１７をキャンバス受台１０の底面に添う収納位置に移動させる。このように収納すると、キャンバス受台１０をイーゼル１の両前脚２，２から取り外して持ち運ぶ際に、両支持部材１７，１７が邪魔にならず、嵩張らないので、軽量であることに加えて持ち運びにも便利である。
【産業上の利用可能性】
【００１６】
本発明のイーゼルは持ち運びに便利で、特に屋外の写生に使用するのに適している。
【図面の簡単な説明】
【００１７】
【図１】本発明による写生用イーゼルの斜視図である。
【図２】同上パレット受具を取り付けたキャンバス受台の要部斜視図である。
【図３】同上パレット受具の使用状態を示す平面図である。
【符号の説明】
【００１８】
１  イーゼル
２  前脚
６  後脚
７  支持ピン
１０  キャンバス受台
１１  底板
１２  前側板
１３  後側板
１４  取付孔
１５  パレット受具
１６  フック状金具
１７  支持部材
１８  かしめピン
２０  パレット
２１  前端縁
【図１】
2005168943.tif 000003
【図２】
2005168943.tif 000004
【図３】
2005168943.tif 000005